(57)【特許請求の範囲】
【請求項１】
開口を有する箱状体の底板上に配置された光源と、
前記底板に対向する前記箱状体の開口を覆う光学部材と、
前記箱状体と一体形成され、前記箱状体の内壁から前記開口に向けて突出し、先端により前記光学部材を支持する支持ピンと、
該支持ピンの軸長方向の中途に周設された平板部と、
前記箱状体の内側を覆う反射シートと
を備え、
前記支持ピンは前記反射シートから露出し、
前記反射シートは前記平板部に載置されている
ことを特徴とする光源装置。
【請求項２】
前記支持ピンには、前記平板部よりも先端側に太径部が設けられていることを特徴とする請求項１に記載の光源装置。
【請求項３】
前記箱状体及び支持ピンは、インサート成形又は二色成形により一体化させてあることを特徴とする請求項１又は請求項２に記載の光源装置。
【請求項４】
前記支持ピンは白色又は透明であることを特徴とする請求項１から請求項３までのいずれか一つに記載の光源装置。
【請求項５】
前記箱状体は白色又は透明であることを特徴とする請求項１から請求項４までのいずれか一つに記載の光源装置。
【請求項６】
表示パネルと、
該表示パネルの表示面の反対側に配された請求項１から請求項５までのいずれか一つに記載の光源装置と
を備えることを特徴とする表示装置。
【発明の詳細な説明】
【技術分野】
【０００１】
本発明は、光源装置及び表示装置に関する。
【背景技術】
【０００２】
液晶パネルを画像表示部として備える表示装置は、テレビジョン受信機及びインフォメーションディスプレイ等に用いられている。表示装置は、光源装置として、液晶パネルの表示面の反対側に配されたバックライト装置を有し、バックライト装置からの照射光を液晶パネルにより変調して透過させ、液晶パネルの表示面に画像を表示するように構成されている。バックライト装置は、直下型とエッジライト型とに大別されるが、高画質が要求される大型の表示装置においては、直下型のバックライト装置が広く採用されている。
【０００３】
直下型のバックライト装置は、箱状体の底板上に配置されたＬＥＤ又は冷陰極管等の光源と、前記底板に対向する前記箱状体の開口を覆う拡散板及びプリズムシート等の光学部材と、該箱状体の開口の側に位置する拡散板又はプリズムシート等の光学部材とを備える。バックライト装置は、前記箱状体の底板から立設され、先端により前記光学部材を支持する棒状の支持体を有し、該支持体により光学部材が箱状体の内部に落ち込まないように構成されている。
【０００４】
例えば、特許文献１には、箱状体と別部材として取り扱われる前記支持体（支持ピン）を箱状体に取り付けた表示装置（テレビ受信装置）が開示されている。
【先行技術文献】
【特許文献】
【０００５】
【特許文献１】国際公開第２０１０／１４６９３２号
【発明の概要】
【発明が解決しようとする課題】
【０００６】
しかしながら、支持体をバックライト装置の箱状体と別部品として取り扱う場合、表示装置の部品点数が多く、組み立ての工数が増大し、コストが嵩むという問題が生じる。
【０００７】
本発明は、斯かる事情に鑑みてなされたものであり、その目的とするところは、部品点数の削減、組み立ての工数の減少及びコストの低下が可能となる光源装置及び表示装置を提供することにある。
【課題を解決するための手段】
【０００８】
本発明に係る光源装置は、開口を有する箱状体の底板上に配置された光源と、前記底板に対向する前記箱状体の開口を覆う光学部材と、前記箱状体と一体形成され、前記箱状体の内壁から前記開口に向けて突出し、先端により前記光学部材を支持する支持体とを備えることを特徴とする。
【０００９】
本発明に係る光源装置は、前記箱状体及び支持体は、インサート成形又は二色成形により一体化させてあることを特徴とする。
【００１０】
本発明に係る光源装置は、前記支持体は白色又は透明であることを特徴とする。
【００１１】
本発明に係る光源装置は、前記箱状体は白色又は透明であることを特徴とする。
【００１２】
本発明に係る表示装置は、表示パネルと、該表示パネルの表示面の反対側に配された上述の光源装置とを備えることを特徴とする。
【発明の効果】
【００１３】
本発明によれば、部品点数の削減、組み立ての工数の減少及びコストの低下が可能となる。
【図面の簡単な説明】
【００１４】
【図１】実施の形態１に係る表示装置の斜視図である。
【図２】表示装置の分解斜視図である。
【図３】表示装置の模式的断面図である。
【図４】シャーシの底板の部分拡大図である。
【図５】反射シートが取り付けられたシャーシの斜視図である。
【図６】実施の形態２に係る表示装置の模式的断面図である。
【発明を実施するための形態】
【００１５】
以下、本発明をその実施の形態を示す図面に基づいて詳述する。
（実施の形態１）
図１は、実施の形態１に係る表示装置の斜視図である。図１において１は、表示装置であり、図示の如く表示装置１は、表示面を有する矩形の液晶パネル２と、該液晶パネル２の表示面の反対側に配されたバックライト装置３とを備える。表示装置１は、液晶パネル２の前記表示面を正面として使用される。また、表示装置１の内部には、アンテナから放送波を受信するチューナ１１及び符号化された放送波を復号するデコーダ１２が設けてあり、表示装置１はテレビジョン受信機として構成されている。
【００１６】
図２は、表示装置１の分解斜視図であり、図３は、表示装置１の模式的断面図である。バックライト装置３は、シャーシ３０と、複数のＬＥＤ３１，３１，・・・と、該複数のＬＥＤ３１が実装された複数枚の基板３２，３２，・・・（図では３枚）と、液晶パネル２及びシャーシ３０の間に配された反射シート３３及び光学部材３４とを有する。
【００１７】
シャーシ３０は、白色の樹脂製であり、矩形状の底板３０ａと、該底板３０ａの四辺の夫々から立ち上がる側板３０ｂとを有し、液晶パネル２側に開口が設けられた浅底箱型をなす。側板３０ｂの開口縁には、外向きに張り出すフランジ部３０ｃが設けられている。
【００１８】
基板３２は短冊状をなし、長手方向に沿って複数のＬＥＤ３１，３１，・・・（図では七個）が所定間隔で実装されている。各基板３２は、シャーシ３０内にて互いに平行に底板３０ａの短手方向に並べて収容されている。
【００１９】
図４は、シャーシ３０の底板３０ａの部分拡大図である。シャーシ３０の底板３０ａには、基板３２を保持する複数の保持体３５，３５，・・・が突設されている。また、各保持体３５は、底板３０ａの長手方向及び短手方向に所定の間隔を空けて並設されている。各保持体３５は凹部を有しており、各基板３２は、長手方向に並ぶ各保持体３５の凹部に嵌め込まれ、底板３０ａから浮かせて保持されている。
【００２０】
更に底板３０ａには、光学部材３４を支持する複数の支持ピン３６が設けられている。各支持ピン３６は、各基板３２の間に位置している。支持ピン３６は、シャーシ３０の底板３０ａの対応位置に設けた凹部３０ｄに基端を埋め込み、底板３０ａに対して垂直に立設され、底板３０ａと一体化している。また、支持ピン３６は、軸長方向の中途において周設された平板部３６ａを有する。
【００２１】
シャーシ３０の製造においては、支持ピン３６を予め作製しておく。支持ピン３６は、シャーシ３０と同一の白色の樹脂製であり、シャーシ３０の型内に配置された状態でシャーシ３０を成形することによりシャーシ３０と一体化される。即ち、支持ピン３６及びシャーシ３０は、いわゆるインサート成形により一体形成されている。なお、支持ピン３６及びシャーシ３０は、二色成形により一体形成してもよい。
【００２２】
図５は、反射シート３３が取り付けられたシャーシ３０の斜視図である。反射シート３３は、シャーシ３０に対応する形状をなしており、周縁部をフランジ部３０ｃに重ねてシャーシ３０の内側全体を覆うように取り付けられている。反射シート３３には、各ＬＥＤ３１、各保持体３５及び各支持ピン３６に対応する位置に孔が設けられている。各ＬＥＤ３１、各保持体３５、各支持ピン３６は、夫々の孔からシャーシ３０の開口側に露出しており、反射シート３３は、各基板３２及び各支持ピン３６の平板部３６ａに載置されている。反射シート３３によりＬＥＤ３１からの光を有効に光学部材３４に照射できる。
【００２３】
光学部材３４は、矩形の拡散板３４ａにプリズムシート等の複数枚の矩形の光学シート３４ｂを重ねて構成されている。光学部材３４の拡散板３４ａは、シャーシ３０のフランジ部３０ｃにて、反射シート３３に重ねて配されている。拡散板３４ａはシャーシ３０の開口を全面で覆い、拡散板３４ａの周縁部はフランジ部３０ｃに支持されている。支持ピン３６の突出端は光学部材３４の一面に接しており、拡散板３４ａは、各支持ピン３６に支持されている。即ち、光学部材３４は支持ピン３６に支持されている。各支持ピン３６が底板３０ａの全体に分散して配置されているので、光学部材３４は各支持ピン３６によりバランスよく支持される。
【００２４】
液晶パネル２の表示面側には、パネルシャーシ４及び正面キャビネット５が配されている。パネルシャーシ４は、枠形の前板４ａと該前板４ａの外周縁から垂直に立ち上がる側板４ｂとを有する。パネルシャーシ４は、前板４ａにより液晶パネル２を表示面の反対側から支持している。パネルシャーシ４は側板４ｂをシャーシ３０のフランジ部３０ｃに支持している。また、パネルシャーシ４の前板４ａは、反射シート３３及び拡散板３４ａをフランジ部３０ｃとの間にて挟持している。
【００２５】
正面キャビネット５は、枠形の前板５ａと該前板５ａの外周縁から垂直に立ち上がる側板５ｂとを有する。正面キャビネット５の前板５ａは、液晶パネル２をパネルシャーシ４の前板４ａとにより挟持している。側板５ｂは、パネルシャーシ４の側板４ｂに接触している。液晶パネル２は、正面キャビネット５の前板５ａ及びパネルシャーシ４の前板４ａにより挟まれている。
【００２６】
以上の如く構成された表示装置１においては、各ＬＥＤ３２から出射した光が、光学部材３４によって拡散及び集束され、液晶パネル２の背面に照射される。液晶パネル２は、入射光を変調して透過し、正面に画像を表示する。表示装置１は、チューナ１１により受信し、デコーダ１２が復号したテレビジョン放送の放送波に基づいて、液晶パネル２の表示面に画像を表示し、テレビジョン受信機として機能する。
【００２７】
以上の構成によれば、光学部材３４は、各支持ピン３６により支持されているので液晶パネル２に正対した姿勢を保つことができ、画質を良好に保つことができる。また、各支持ピン３６は、インサート成形又は二色成形によりシャーシ３０と一体に形成されており、シャーシ３０及び各支持ピン３６を一部品として取り扱うことができるので、部品点数の削減、組み立ての工数の減少及びコストの低下が可能となる。また、複数の支持ピン３６を適宜配することにより、支持ピン３６を有するシャーシ３０を様々な大きさに対応して製造することができる。
【００２８】
シャーシ３０及び各支持ピン３６は白色であるので、高反射率であり、ＬＥＤ３２からの光による影の発生を防止し、表示品質の低下を防止することができる。また、シャーシ３０に着色しないので、組み立ての工数の減少及びコストの低下が可能となる。
なお、シャーシ３０及び各支持ピン３６は、白色でなく透明とする構成であってもよく、該構成においても、ＬＥＤ３２からの光による影の発生を防止し、表示品質の低下を防止することができる。また、シャーシ３０に着色しないので、組み立ての工数の減少及びコストの低下が可能となる。
【００２９】
また、各支持ピン３６は、底板３０ａに設けられる構成に限られず、シャーシ３０の内壁から開口に向けて突出していれば、側板３０ｂその他の箇所に設けられる構成であってもよい。
【００３０】
更に、表示装置１は、テレビジョン受信機に用いられる構成でなく、インフォメーションディスプレイ又はパーソナルコンピュータに用いられる構成であってもよい。
【００３１】
（実施の形態２）
図６は、実施の形態２に係る表示装置１の模式的断面図である。実施の形態２に係る表示装置１の構成について、実施の形態１と同様な構成については、同一の符号を付してその詳細な説明を省略する。
【００３２】
実施の形態２においては、シャーシ３０及び支持ピン３６は、単一の型により同一の透明な樹脂から形成されている。また、シャーシ３０に対応する部分には着色されており、一方で各支持ピン３６に対応する部分は、着色されておらず透明である。
【００３３】
以上の構成によれば、シャーシ３０及び支持ピン３６は、単一の型により形成されており、シャーシ３０及び各支持ピン３６を一部品として取り扱うことができるので、部品点数の削減、組み立ての工数の減少及びコストの低下が可能となる。
【００３４】
また、支持ピン３６が透明であることからＬＥＤ３２からの光による影の発生を抑え、表示品質の低下を防止できる。また、シャーシ３０に着色しないので、組み立ての工数の減少及びコストの低下が可能となる。なお、支持ピン３６は、実施の形態１と同様に白色とする構成であってもよい。
【００３５】
本発明に係る光源装置（３）は、開口を有する箱状体（３０）の底板（３０ａ）上に配置された光源（３１）と、前記底板（３０ａ）に対向する前記箱状体（３０）の開口を覆う光学部材（３４）と、前記箱状体（３０）と一体形成され、前記箱状体（３０）の内壁から前記開口に向けて突出し、先端により前記光学部材（３４）を支持する支持体（３６）とを備えることを特徴とする。
【００３６】
本発明によれば、支持体（３６）は、箱状体（３０）と一体として形成されており、箱状体（３０）及び支持体（３６）を一部品として取り扱うことができるので、部品点数の削減、組み立ての工数の減少及びコストの低下が可能となる。
【００３７】
本発明に係る光源装置（３）は、前記箱状体（３０）及び支持体（３６）は、インサート成形又は二色成形により一体化させてあることを特徴とする。
【００３８】
本発明によれば、箱状体（３０）及び支持部（３６）を一体として形成することができる。また、支持ピン（３６）を適宜配することにより、支持体（３６）を有する箱状体（３０）を様々な大きさに対応して製造することができる。
【００３９】
本発明に係る光源装置（３）は、前記支持体（３６）は白色又は透明であることを特徴とする。
【００４０】
本発明によれば、光源（３１）からの光による影の発生を防止し、表示品質の低下を防止することができる。
【００４１】
本発明に係る光源装置（３）は、前記箱状体（３０）は白色又は透明であることを特徴とする。
【００４２】
本発明によれば、光源（３１）からの光による影の発生を防止し、表示品質の低下を防止することができる。また、前記箱状体（３０）及び支持体（３６）を同一の白色または透明の樹脂で製造した場合に、前記箱状体（３０）に着色しないので、組み立ての工数の減少及びコストの低下が可能となる。
【００４３】
本発明に係る表示装置（１）は、表示パネル（２）と、該表示パネル（２）の表示面の反対側に配された上述の光源装置（３）とを備えることを特徴とする。
【００４４】
本発明によれば、上述の光源装置（３）を用いることにより、表示装置（１）の部品点数の削減、組み立ての工数の減少及びコストの低下が可能となる。
【００４５】
本発明に係るテレビジョン受信機は、上述の表示装置（１）と、テレビジョン放送を受信する受信部（１１）とを備え、前記受信部（１１）にて受信したテレビジョン放送に基づいて、前記表示装置（１）に映像を表示するようにしてあることを特徴とする。
【００４６】
本発明によれば、上述の光源装置（３）を用いることにより、テレビジョン受信機の部品点数の削減、組み立ての工数の減少及びコストの低下が可能となる。
【００４７】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００４８】
１  表示装置
２  液晶パネル（表示パネル）
３  バックライト装置（光源装置）
１１  チューナ（受信部）
３０  シャーシ（箱状体）
３１  ＬＥＤ（光源）
３４  光学部材
３６  支持ピン（支持体）
【図１】
0006448428.tif 000002
【図２】
0006448428.tif 000003
【図３】
0006448428.tif 000004
【図４】
0006448428.tif 000005
【図５】
0006448428.tif 000006
【図６】
0006448428.tif 000007